(57)【特許請求の範囲】
【請求項１】
カラオケ曲の演奏を行う演奏手段を備えたカラオケ装置と、
前記カラオケ装置における歌唱者の歌唱音声を含むオーディションデータを記録する記録手段、このオーディションデータを所定期間ネットワーク上のオーディション参加ページに公開して、端末装置からのアクセスを可能にするデータ公開手段、および、該データ公開手段がネットワークにオーディションデータを公開している間、このオーディションデータに対するアクセス内容を審査結果として集計する集計手段を備えたサーバ装置と、
を備え、
前記データ公開手段は、前記オーディション参加ページの前記歌唱者のページに前記端末装置からアクセスがあると、前記歌唱者のカラオケ歌唱の一部を前記端末装置にダウンロードさせて、前記端末装置にそのページを表示させるとともに、前記歌唱者のカラオケ歌唱の一部を再生させることを特徴とするカラオケオーディション装置。
【請求項２】
カラオケ曲の演奏を行う演奏手段、歌唱者の歌唱音声を録音する録音手段、および前記歌唱音声を送信する通信手段を備えたカラオケ装置と、
前記カラオケ装置からの歌唱音声を受信すると、審査番号を前記カラオケ装置に送信する通信手段、前記カラオケ装置における歌唱者の歌唱音声を含む被審査データを記録する記録手段、および、該審査番号とこの被審査データの審査結果を該被審査データに対応して記録する手段を備えたサーバ装置と、
を備え、
前記サーバ装置の通信手段は、前記被審査データおよび審査結果を再生する再生手段を備えた装置から前記審査番号を受け取ると、その審査番号に対応する前記被審査データおよび審査結果を送信することを特徴とするカラオケ審査装置。
【請求項３】
前記カラオケ装置は、審査員が複数いる場合に審査員を指名する指名手段を備えた請求項２に記載のカラオケ審査装置。
【発明の詳細な説明】
【０００１】
【発明の属する技術分野】
この発明は、カラオケ装置で歌唱した歌唱音声をネットワークで公開してオーディションを受けることができるカラオケオーディション装置およびカラオケの歌唱の審査結果を再生できるカラオケ審査装置に関する。
【０００２】
【発明が解決しようとする課題】
カラオケ装置の普及により一般人の歌唱能力レベルが向上しており、このような歌唱者のために、いわゆるカラオケ大会などの歌唱能力を審査するイベントが多く行われるようになっている。歌唱能力が向上した歌唱者は、自分の実力がどの程度であるかを試してみたいと思うが、わざわざカラオケ大会などのイベントに出場するのは大げさであると考える人が多い。また、公衆の前で歌うのが恥ずかしいと考える人もいる。
【０００３】
そこで、カラオケボックスなどのカラオケ装置で歌唱し、これを審査してもらうことができるカラオケオーディション装置およびカラオケ審査装置を提供することを目的とする。
【０００４】
【課題を解決するための手段】
請求項１の発明は、カラオケ曲の演奏を行う演奏手段を備えたカラオケ装置と、
前記カラオケ装置における歌唱者の歌唱音声を含むオーディションデータを記録する記録手段、このオーディションデータを所定期間ネットワーク上のオーディション参加ページに公開して、端末装置からのアクセスを可能にするデータ公開手段、および、該データ公開手段がネットワークにオーディションデータを公開している間、このオーディションデータに対するアクセス内容を審査結果として集計する集計手段を備えたサーバ装置と、
を備え、
前記データ公開手段は、前記オーディション参加ページの前記歌唱者のページに前記端末装置からアクセスがあると、前記歌唱者のカラオケ歌唱の一部を前記端末装置にダウンロードさせて、前記端末装置にそのページを表示させるとともに、前記歌唱者のカラオケ歌唱の一部を再生させることを特徴とする。
【０００５】
請求項２の発明は、カラオケ曲の演奏を行う演奏手段、歌唱者の歌唱音声を録音する録音手段、および前記歌唱音声を送信する通信手段を備えたカラオケ装置と、
前記カラオケ装置からの歌唱音声を受信すると、審査番号を前記カラオケ装置に送信する通信手段、前記カラオケ装置における歌唱者の歌唱音声を含む被審査データを記録する記録手段、及び、この被審査データの審査結果を該被審査データに対応して記録する手段を備えたサーバ装置と、
を備え、
前記サーバ装置の通信手段は、前記被審査データおよび審査結果を再生する再生手段を備えた装置から前記審査番号を受け取ると、その審査番号に対応する前記被審査データおよび審査結果を送信することを特徴とする。
請求項３の発明は、前記カラオケ装置は、審査員が複数いる場合に審査員を指名する指名手段を備えたことを特徴とする。
【０００６】
請求項１の発明では、カラオケ演奏に合わせて歌唱した歌唱者の歌唱音声がオーディションデータとして記録される。この歌唱音声データは、カラオケ曲の全てでもよく一部でもよい。また、オーディションデータとして、歌唱音声データ以外に、歌唱者の顔写真などの画像やコメントなどの文字データを含めてもよい。このオーディションデータを所定期間ネットワーク上で公開する。ネットワークとしてはインターネットを用いればよい。また、オーディションデータをネットワーク上に公開するサーバは、ケーブルやネットワークで接続されている専用のサーバコンピュータでもよい。インターネットでオーディションデータを公開する場合、カラオケオーディションのサイト（ホームページ）をネット上に設置し、各オーディションデータをこのサイトの１ページとして公開すればよい。
【０００７】
そして、上記オーディションページがアクセスされたとき、上記音声データや画像データなどがアクセスした端末装置に転送され、端末装置にそのページが表示されるとともに、前記歌唱者のカラオケ歌唱の一部が再生される。オーディションページに、投票ボタンなどを設けておけば、この歌唱者が気に入った端末利用者にこのボタンをオンしてもらうなどの付加的なアクセスをさせることもできる。このような、何人アクセスして投票ボタンを何人が押したかなどのアクセスの内容を審査結果として集計することによって、カラオケ装置で歌唱した内容をオーディションすることができる。
【０００８】
請求項２の発明は、請求項１の発明とは異なり、歌唱音声を含む被審査データはネットワーク上で公開されない。そのかわり、所定の審査員がその被審査データを審査してその審査結果を入力する。装置はこれを審査番号や被審査データに対応して記録しておき、利用者からの要求があった場合などにこれらを再生する。これにより、歌唱者はその審査結果を今後の歌唱の参考にすることができる。
【０００９】
【発明の実施の形態】
図面を参照してこの発明の実施形態について説明する。図１はこの発明の実施形態であるカラオケオーディションシステムの構成を示す図、図２は同カラオケオーディションシステムのカラオケ装置１およびサーバコンピュータ２の概略動作を示すフローチャートである。このシステムは、カラオケボックスに設置されるカラオケ装置１、インターネットのＷＷＷサーバとなるサーバコンピュータ２を有しており、カラオケ装置１とサーバコンピュータ２とは電話回線で接続される。サーバコンピュータ２は、インターネット３に接続されており、インターネット３に接続される端末装置４から常時アクセスを受け付けることができる。
【００１０】
カラオケ装置１は、一般のカラオケ装置同様リクエストによりカラオケ曲を演奏し、この演奏音をマイク１０から入力される歌唱音声とミキシングして音声出力する通常のカラオケ演奏機能を備えているが、このカラオケ装置１は、この機能に加えてオーディション登録機能、審査登録・再生機能を備えている。オーディション登録機能とは、歌唱者の歌唱音声データ、顔や姿を撮影した画像データ、コメントとして入力された文字データをサーバコンピュータ２にオーディションデータとしてアップロードする機能である。また、審査登録・再生機能とは、歌唱者の歌唱音声データなどを被審査データとしてサーバコンピュータ２にアップロードし、この歌唱音声データ等を審査した審査結果を該サーバ２からダウンロードして再生する機能である。
【００１１】
すなわち、オーディション機能は、歌唱者の歌唱音声等をインターネットで公開して、その人気度を計測する機能であり、審査機能は、公開せずに所定の審査員が審査してその審査結果（添削結果）を歌唱者に返す機能である。
【００１２】
これらの機能を実現するため、このカラオケ装置１には、カラオケ曲の演奏を実行したり前記審査結果を再生するカラオケ演奏部１３、歌唱音声を入力するマイク１０のほかに、画像データを入力するカメラ１１、文字データを入力するキーボード１２、これらのデータを一旦記憶するバッファ１４、および、これらのデータをサーバコンピュータ２にアップロードする通信部１６が設けられている。また、このオーディションへの参加や審査は有料サービスであるため、サービス料金を投入するための課金装置１５も設けられている。
【００１３】
図２〜図４を参照してオーディションモードについて説明する。
図２（Ａ）において、カラオケ装置の利用者がオーディションに参加する場合、まず、カラオケ装置１に対してオーディションモードを設定する（ｓ１）。このモードの設定は、カラオケ装置に付属の赤外線リモコン装置からオーディションモード設定のコマンドを入力するようにすればよい。このオーディション参加の料金はこのタイミングで引き落としてもよく（ｓ２）、最後のダウンロードのタイミングに引き落とすようにしてもよい。
【００１４】
このオーディションモードの設定ののち、歌唱者は通常どおり選曲してカラオケ曲の演奏に合わせて歌唱する。このカラオケ音声信号（演奏音と歌唱音声をミキシングした音声信号）は全て録音される（ｓ３）。演奏終了ののち、録音をリプレイして自分の歌唱の出来ばえを確認することもできる。この歌唱で満足な場合には次のステップに進む。この歌唱で不満足な場合には、同じ曲（または違う曲）を再度演奏して何度もテイクを重ねることができる。この場合、カラオケ装置は先の録音を消去するようにしてもよく、複数テイクを録音し、歌唱者がそのなかから最も気に入ったものを選択できるようにしてもよい。
【００１５】
アップロードする録音が確定すると、次にカメラ１１を用いて歌唱者の姿を撮影する（ｓ４）。歌唱者は前記リモコンを用いて、カメラ１１の向きを上下左右に調整したりズーミングしたりすることができる。そして、リモコンを用いて気に入ったタイミングの画像をカラオケ装置１に取り込む。この撮影も複数テイクして気に入ったものを採用できるようにすればよい。また、アップ写真とロング写真など複数の写真をアップロードできるようにしてもよい。
【００１６】
次に、キーボードを用いたコメントの入力を受け付ける（ｓ５）。コメントととしては自分の氏名，生年月日，歌の好みなどである。キーボードを操作するのが困難であれば、紙に書いたコメントを前記カメラ１１で撮影し、これを文字入力に代えるようにしてもよい。また、前記オーディションモードの設定にいわゆるＩＤリモコンを用いれば、ＩＤコードによって氏名などを割り出すことができるため、氏名などの入力を省略することができる。
【００１７】
上記データが全て入力されるとカラオケ装置はサーバコンピュータ２に電話を掛けてこのデータをオーディションデータとしてアップロードする（ｓ６）。
【００１８】
図１において、サーバコンピュータ２は、前記カラオケ装置１と通信する通信部２０、カラオケ装置１からアップロードされてきたオーディションデータをＷＷＷ（ワールド・ワイド・ウェブ）のホームページで公開できる形式に編集する編集部２１、上記編集されたデータを「カラオケオーディション」ホームページのコンテンツとして登録するサーバ記憶部２２、インターネット３上の通信を制御するネットワーク通信部２３、アクセス数や投票数をカウントするカウンタ２４、および、カウンタ２４のカウント数を集計する集計部２５を有している。上記カウンタは、いわゆるＣＧＩなどで実現される。
【００１９】
図３はオーディション参加ページの例を示す図である。このページには、氏名，写真，コメントなどが表示され、カラオケ歌唱の一部がオーディオデータとして添付されている。このページにアクセスするとこの画面が表示されるとともに、前記カラオケ歌唱の一部が自動的に再生される。アクセス者は、この内容とカラオケ歌唱を聞いて気に入った場合には、投票ボタン３２をオンする。そうすると、サーバコンピュータ２のカウンタ２４が該ページの投票数を１加算する。また、このページにアクセスするのみでカウンタ２４が該ページのアクセスを１加算する。また、アクセス者がもっと歌を聞きたい場合にはｍｏｒｅ  ｓｏｎｇボタン３１をオンすれば、より大きなオーディオデータがダウンロードされ端末装置で再生される。この場合にＲｅａｌ  Ａｕｄｉｏなどの技術を用いることにより、オーディオデータをダウンロードしながらリアルタイムで再生をすることができる。
【００２０】
図２において、カラオケ装置１からオーディションデータを受信すると（ｓ１１）、サーバコンピュータ２は図３に示すような構成にこのデータを編集する（ｓ１２）。そして、これをサーバ記憶部２２に登録してインターネットの「カラオケオーディション」ホームページ上で公開する（ｓ１３）。公開されている間、インターネットユーザによってこのページがアクセスされ、気に入った場合の投票ボタン３２やもっと歌を聴きたい場合のｍｏｒｅ  ｓｏｎｇボタン３１などが操作される。サーバコンピュータ２のカウンタ２４はアクセス数のみならず、この投票数やｓｏｎｇダウンロード数などもカウントしている（ｓ１４）。このＷＷＷ上での公開は１か月間継続される。そして、１か月経過後、アクセス数や投票数などを集計して審査結果を割り出し（ｓ１５）、その結果を本人に通知する（ｓ１６）。この通知はどのような方法であってもよい。たとえば、サーバコンピュータ２に接続されたプリンタでこの審査結果を通知する内容のハガキを印刷し、このハガキを本人に発送するなどの方式でもよい。また、登録者がインターネットにアカウントを持っている場合には、このアカウントに対して電子メールを送るようにしてもよい。
【００２１】
そして、上記投票数などが一定数を超えているなど、歌唱者（オーディション参加者）が、ページにアクセスした者の関心をひいたと判断される場合には、優秀な歌唱者であるとして、特別の手続（表彰）を行う（ｓ１７）。具体的には、この「カラオケオーディション」ホームページに優秀者としてこの歌唱者を公開する（図４（Ａ）参照）。前記カラオケ装置１にデータを転送してカラオケ装置の曲間ＣＭでこの歌唱者を紹介する（図４（Ｂ）参照）。タレントプロモータにこのデータを送って紹介するなどである。
【００２２】
なお、上記実施形態では、投票ボタン３２を押すことにより、１人１票を投票するようにしているが、投票の方法はこれに限定されない。たとえば、容姿・歌唱などの要素毎に点数を付けて送信してもらうなどの方法でもよい。また、インターネット上の通常のアクセス者とは別にこの業界関係者に採点してもらい、これを審査に加味するようにしてもよい。
【００２３】
また、ネットワーク上の公開期間は１ヵ月に限定されず、ページの構成も図３のものに限定されない。
【００２４】
図５，図６を参照して審査モードについて説明する。
図５（Ａ）において、カラオケ装置の利用者が自分の歌唱を審査してもらいたい場合、まず、カラオケ装置１に対して審査モードを設定する（ｓ２１）。このモードの設定は、カラオケ装置に付属のリモコン装置等から審査モード設定のコマンドを入力するようにすればよい。この審査の料金はこのタイミングで引き落としてもよく（ｓ２２）、最後のダウンロードのタイミングに引き落とすようにしてもよい。
【００２５】
この審査モードの設定ののち、歌唱者は通常どおり選曲してカラオケ曲の演奏に合わせて歌唱する。このカラオケ音声信号（演奏音と歌唱音声をミキシングした音声信号）は全て録音される（ｓ２３）。演奏終了のち、録音をリプレイして自分の歌唱の出来ばえを確認することもできる。この歌唱で満足な場合には次のステップに進む。この歌唱で不満足な場合には、同じ曲（または違う曲）を再度演奏して何度もテイクを重ねることができる。この場合、カラオケ装置は先の録音を消去するようにしてもよく、複数テイクを録音し、歌唱者がそのなかから最も気に入ったものを選択できるようにしてもよい。
【００２６】
アップロードする録音が確定すると、次にカメラ１１を用いて歌唱者の姿を撮影する（ｓ２４）。歌唱者は前記リモコンを用いて、カメラ１１の向きを上下左右に調整したりズーミングしたりすることができる。そして、リモコンを用いて気に入ったタイミングの画像をカラオケ装置１に取り込む。この撮影も複数テイクして気に入ったものを採用できるようにすればよい。また、アップ写真とロング写真など複数の写真をアップロードできるようにしてもよい。
【００２７】
次に、キーボードを用いたコメントの入力を受け付ける（ｓ２５）。コメントととしては自分の氏名，生年月日，歌の好みなどである。キーボードを操作するのが困難であれば、紙に書いたコメントを前記カメラ１１で撮影し、これを文字入力に代えるようにしてもよい。また、前記審査モードの設定にいわゆるＩＤリモコンを用いれば、ＩＤコードによって氏名などを割り出すことができるため、氏名などの入力を省略することができる。
【００２８】
上記データが全て入力されるとカラオケ装置はサーバコンピュータ２に電話を掛けてこのデータを被審査データとしてアップロードする（ｓ２６）。そして、この被審査データの審査ナンバを受信する（ｓ２７）。利用者は、所定期間ののち、この審査ナンバでサーバコンピュータ２をアクセスして審査結果を受け取ることができる。
【００２９】
同図（Ｂ）はサーバコンピュータ２の動作を示すフローチャートである。カラオケ装置１から被審査データを受信すると（ｓ３１）、サーバコンピュータ２はＷＷＷコンテンツにこのデータを編集する（ｓ３２）。このＷＷＷコンテンツは上記歌唱者の歌唱音声、映像、コメントを含んでおり、これを見て所定の審査員が審査する（ｓ３３）。この審査および審査結果の入力は、インターネット３に接続されている端末装置４を介して行ってもよく、サーバコンピュータ２に審査結果の入力装置２６（図２参照）を接続し、これを介して行ってもよい。いずれにしても、このＷＷＷコンテンツは一般公開されず、審査員がネットワークからアクセスする場合には、パスワードなどを用いて認証したのちアクセス可能となる。
【００３０】
このようにして入力された審査結果を、図６に示すようなＷＷＷコンテンツに編集する。これは前記被審査データのコンテンツのｎｅｘｔページとなるようにしてもよい。このＷＷＷコンテンツは一般公開されない。そして、歌唱者からのダウンロード要求があるまでこのコンテンツをそのまま保存する（ｓ３５）。ダウンロード要求があると、被審査データおよび審査結果をダウンロードする（ｓ３６）。
【００３１】
同図（Ｃ）において、カラオケ装置１からのダウンロード要求はサーバコンピュータ２に対して審査ナンバを送信することによって行う（ｓ４１）。サーバコンピュータ２はこれに対して被審査データおよび審査結果のコンテンツをダウンロードしてくるため（ｓ４２）、カラオケ装置の演奏部１３でこれを再生する（ｓ４３）。この再生は、図６のような画面を伴っており、歌唱者は自己の歌唱を再度再生しながら、審査員のコメントをみて自分の歌唱を判断することができる。これにより、歌唱者は特定の審査員に審査してもらいその審査結果（添削結果）を再生して今後の歌唱の参考にすることができる。
【００３２】
なお、上記実施形態では、審査結果等をカラオケ装置にダウンロードしてそこで再生するようにしているが、インターネット３に接続された自己の端末装置（パソコン）でダウンロードして再生するようにしてもよい。いずれにしても審査ナンバでどのデータかを識別するようにすればよい。
【００３３】
また、審査員が複数いる場合には、アップロード時に審査員のＩＤを入力して指名できるようにしてもよい。
【００３４】
【発明の効果】
以上のように請求項１の発明によれば、カラオケ装置で歌った歌唱をネットワークで審査してもらうことができるため、誰でも、いつでも、カラオケ装置（カラオケボックス）で歌唱し、これを登録することで気軽にオーディションに参加することができる。また、インターネットなどのネットワークでこれが公開されるため、誰でも審査に参加することができる。また、請求項２の発明によれば、装置に歌唱音声等を記録すれば審査結果を受け取ることができるため、気軽に自己の歌唱を審査してもらうことができる。
【００３５】
また、イベントのような「一発勝負」ではないため、何度か歌唱しそのうち最もよいものでオーディションに参加することができ、不本意な審査になることがない。また、このため、カラオケの練習意欲が高まり利用の増加を期待することができ、また、オーディションの登録を有料サービスとすることで、料金収入を期待することができる。
【図面の簡単な説明】
【図１】この発明の実施形態であるカラオケオーディションシステムの構成を示す図
【図２】同カラオケオーディションシステムにおけるカラオケ装置およびサーバコンピュータの動作を示すフローチャート
【図３】前記サーバコンピュータが公開するＷＷＷサイトのページ構成を示す図
【図４】成績優秀者を紹介するページおよび曲間ＣＭ画面の例を示す図
【図５】同カラオケオーディションシステムにおける審査モードの動作を示すフローチャート
【図６】同カラオケオーディションシステムにおける審査結果の画面表示例を示す図
【符号の説明】
１…カラオケ装置、２…サーバコンピュータ、
１０…マイク、１１…カメラ、１２…キーボード、
２１…編集部、２２…サーバ記憶部（ホームページ）
２３…ネットワーク通信部、２４…カウンタ、２５…集計部
３２…投票ボタン
【図１】
0004134737.tif 000002
【図２】
0004134737.tif 000003
【図３】
0004134737.tif 000004
【図４】
0004134737.tif 000005
【図５】
0004134737.tif 000006
【図６】
0004134737.tif 000007